(57)【要約】【課題】照明装置の取り外し作業および取付作業における作業性を向上させることができる柵、改修ユニットおよび改修方法を提供すること。【解決手段】柵は、既存の柵を改修した柵である。既存のバラスターに、バラスターの並ぶ方向に沿う鉛直面に対する前後方向のうち少なくとも一方に光を照射するように照明装置を内蔵できる照明ユニットが取り付けられている。【選択図】図２３
2018199995.tif 000002
【特許請求の範囲】
【請求項１】
既存の柵を改修した柵であって、
既存のバラスターに、前記バラスターの並ぶ方向に沿う鉛直面に対する前後方向のうち少なくとも一方に光を照射するように照明装置を内蔵できる照明ユニットが取り付けられていることを特徴とする柵。
【請求項２】
既存のバラスターに取り付けられる改修ユニットであって、
前記バラスターを両側から挟む第１挟持部および第２挟持部と、前記第２挟持部から前記第１挟持部とは反対側に突出する連結部と、を含むアダプターと、
前記連結部に固定されており、前記バラスターの並ぶ方向に沿う鉛直面に対する前後方向のうち少なくとも一方に光を照射するように照明装置を内蔵できる照明ユニットと、
を備えることを特徴とする改修ユニット。
【請求項３】
前記第１挟持部は、前記バラスターに対向する表面から突出し且つ前記バラスターに接する締結部材を備え、
前記アダプターは、前記締結部材と前記バラスターとの間および前記第２挟持部と前記バラスターとの間に生ずる摩擦によって、前記バラスターに固定されていることを特徴とする請求項２に記載の改修ユニット。
【請求項４】
既存の柵の改修方法であって、
既存のバラスターに、前記バラスターの並ぶ方向に沿う鉛直面に対する前後方向のうち少なくとも一方に光を照射するように照明装置を内蔵できる照明ユニットを取り付ける工程を含むことを特徴とする改修方法。
【発明の詳細な説明】
【技術分野】
【０００１】
本発明は、バラスター、柵、改修ユニットおよび改修方法に関する。さらに詳しくは、バラスターは、柵の縦部材、縦格子および縦桟を含む総称である。柵は、高欄、車両用防護柵、手摺、歩道柵およびフェンスを含む総称である。
【背景技術】
【０００２】
通路を照らすための装置として、通路に沿って設けられる柵に組み込まれた照明装置が知られている。例えば、特許文献１に記載される技術においては、高欄の上端部に配置されるトップレールの内部に照明灯が配置されている。また、特許文献２には、円柱状の縦桟を備え、走行中の車から容易に視認できる縦格子面状発光情報板が記載されている。
【先行技術文献】
【特許文献】
【０００３】
【特許文献１】特開平１１−９３１１８号公報
【特許文献２】特開２００１−３４８８２２号公報
【発明の概要】
【発明が解決しようとする課題】
【０００４】
柵に組み込まれた照明装置のメンテナンス等を行う際、照明装置の取り外し作業および取付作業が発生する。例えば特許文献１のような従来技術を用いた場合、ある程度作業性が向上する。しかしながら、照明装置を覆う部材に対する作業等が生じるので、作業性の向上には限界があった。
【０００５】
本発明は、上記の課題に鑑みてなされたものであって、照明装置の取り外し作業および取付作業における作業性を向上させることができるバラスター、柵、改修ユニットおよび改修方法を提供することを目的とする。
【課題を解決するための手段】
【０００６】
上記の目的を達成するため、本発明に係るバラスターは、柵の横部材に固定できるバラスター本体を備え、前記バラスター本体は、前記バラスター本体の並ぶ方向に沿う鉛直面に対する前後方向のうち少なくとも一方に光を照射するように照明装置を内蔵できる照明取付用補助体を固定するための固定部を備える。柵において照明装置のメンテナンスが必要になった場合、照明取付用補助体を照明装置と一体にバラスター本体から取り外すことが可能である。このため、バラスターは、照明装置の取り外し作業および取付作業における作業性を向上させることができる。
【０００７】
本発明の望ましい態様として、前記固定部は、前記照明取付用補助体を固定するための固定部材が固着する孔を備えることが好ましい。これにより、バラスター本体に対する照明取付用補助体の固定が容易になる。
【０００８】
本発明の望ましい態様として、前記固定部は、前記照明取付用補助体によって両側から挟まれる突起を備えることが好ましい。これにより、照明取付用補助体のガタツキが抑制される。
【０００９】
本発明の望ましい態様として、前記固定部は、前記照明取付用補助体の前記前後方向における位置を規制するための位置決め部を備えることが好ましい。これにより、バラスター本体に照明取付用補助体が取り付けられる際の、照明取付用補助体の位置決めが容易になる。
【００１０】
本発明の望ましい態様として、バラスターは、柵の横部材に固定できるバラスター本体と、前記バラスター本体に固定されて、前記バラスター本体の並ぶ方向に沿う鉛直面に対する前後方向のうち少なくとも一方に光を照射するように照明装置を内蔵できる照明取付用補助体と、を備えることが好ましい。これにより、柵において照明装置のメンテナンスが必要になった場合、照明取付用補助体を照明装置と一体にバラスター本体から取り外すことが可能である。このため、バラスターは、照明装置の取り外し作業および取付作業における作業性を向上させることができる。
【００１１】
本発明の望ましい態様として、前記照明装置は、テープ状の基体の長手方向に沿って並べられた複数の発光素子を備えることが好ましい。これにより、バラスターを小型化することが容易になる。
【００１２】
本発明の望ましい態様として、前記照明取付用補助体は、前記バラスター本体に設けられた突起を両側から挟むことにより前記バラスター本体に固定されることが好ましい。これにより、照明取付用補助体のガタツキが抑制される。
【００１３】
本発明の望ましい態様として、前記照明取付用補助体に設けられた凸部と前記バラスター本体に設けられた凹部とが噛み合うことで、前記照明取付用補助体が前記バラスター本体に固定されることが好ましい。これにより、バラスターは、バラスター本体に照明取付用補助体を固定するための部材が不要であるため、バラスター本体に照明取付用補助体が取り付けられる時の作業性を向上させることができる。
【００１４】
本発明の望ましい態様として、前記照明取付用補助体の内部に収納可能である照明装置収納ケースを備え、前記照明装置は、前記照明装置収納ケースに取り付けられることが好ましい。これにより、照明装置が破損する可能性が低減される。
【００１５】
本発明の望ましい態様として、前記照明装置収納ケースの前記前後方向における位置を規制するための位置決め部材を備えることが好ましい。これにより、照明装置収納ケースのガタツキが抑制される。
【００１６】
本発明の望ましい態様として、前記照明装置は、前記照明取付用補助体に取り付けられることが好ましい。これにより、照明装置収納ケースを備える場合に比較して部品点数が低減されるので、バラスターの組み立てが容易になる。
【００１７】
本発明の望ましい態様として、前記照明取付用補助体は、遮光性部材であって、前記照明装置が照射する光の方向を規制することが好ましい。これにより、バラスターは、光の向かう方向を、歩行者またはドライバーの進行方向に応じて好ましい方向に制御できる。
【００１８】
本発明の望ましい態様として、前記照明取付用補助体の前記前後方向における先端部に透光性カバーが設けられていることが好ましい。これにより、光がバラスターから前後方向に向かって照射される。このため、歩行者またはドライバーに向かう光が低減されるので、歩行者またはドライバーが眩しく感じる可能性が低減される。
【００１９】
本発明の望ましい態様として、柵は、一方向に沿って並べられる複数の支柱と、前記支柱に支持される第１横部材と、前記支柱に支持され且つ前記第１横部材の下方に設けられる第２横部材と、前記第１横部材および前記第２横部材に支持される複数のバラスターと、を備え、複数の前記バラスターの少なくとも１つは、前記第１横部材および前記第２横部材に固定されるバラスター本体と、前記バラスター本体に取り付けられて、前記バラスター本体の並ぶ方向に沿う鉛直面に対する前後方向のうち少なくとも一方に光を照射するように照明装置を内蔵できる照明取付用補助体と、を備えることが好ましい。これにより、柵において照明装置のメンテナンスが必要になった場合、照明取付用補助体を照明装置と一体にバラスター本体から取り外すことが可能である。このため、柵は、照明装置の取り外し作業および取付作業における作業性を向上させることができる。
【００２０】
本発明の望ましい態様として、前記第１横部材または前記第２横部材の内部に通された配線を介して、前記照明装置が有する電源装置に電力が供給されることが好ましい。これにより、外から見える配線の数が低減されるので、柵の意匠性が向上する。
【００２１】
本発明の望ましい態様として、前記電源装置は、前記照明取付用補助体の内部に配置されていることが好ましい。これにより、第１横部材または第２横部材の内部にスペースが生じやすくなるので、配線の施工が容易になる。
【００２２】
本発明の望ましい態様として、複数の前記バラスターのうち光を照射する必要のない位置に対応するバラスターにおいて、前記バラスター本体の前記照明取付用補助体を固定するための固定部が露出していることが好ましい。全てのバラスターが光を照射しなくてもよい場合、上述したバラスターが用いられることで、バラスターの並ぶ間隔が保たれると共に路面の照度の調整が容易となる。また、バラスターに対しては、必要に応じて照明取付用補助体が容易に取り付けられる。
【００２３】
本発明の望ましい態様として、光を照射する必要のない位置に、前記第１横部材および前記第２横部材に支持されるダミー部材を備え、前記ダミー部材を長手方向に対して垂直な平面で切った断面形状は、前記バラスター本体および前記照明取付用補助体を有する前記バラスターを長手方向に対して垂直な平面で切った断面形状と同じであることが好ましい。全てのバラスターが光を照射しなくてもよい場合、ダミー部材が用いられることで、バラスターの並ぶ間隔が保たれると共に路面の照度の調整が容易となる。さらに、ダミー部材の外観が、バラスターの外観に類似する。このため、柵においてバラスターおよびダミー部材が混在している場合でも、柵の意匠性が向上する。
【００２４】
本発明の望ましい態様として、階段に設けられることが好ましい。これにより、柵は、階段の路面に光が照射できるため、階段の歩行者に対する安全性を向上させることができる。
【００２５】
本発明の望ましい態様として、前記バラスター本体および前記照明取付用補助体を有する前記バラスターは、前記階段の登り口、降り口または踊り場に対応する位置に配置されることが好ましい。これにより、柵は、勾配の変化する場所の路面に光が照射されるため、階段の歩行者に対する安全性を向上させることができる。
【００２６】
本発明の望ましい態様として、柵は、既存の柵を改修した柵であって、既存のバラスターに、前記バラスターの並ぶ方向に沿う鉛直面に対する前後方向のうち少なくとも一方に光を照射するように照明装置を内蔵できる照明ユニットが取り付けられていることが好ましい。これにより、柵において照明装置のメンテナンスが必要になった場合、照明ユニットを照明装置と一体にバラスターから取り外すことが可能である。このため、柵は、照明装置の取り外し作業および取付作業における作業性を向上させることができる。また、従来から設けられている歩道橋の柵の周辺には、ポールの先端に照明器具が取り付けられた街灯が設置されていることがある。従来から設けられている歩道橋の柵が上述の柵になると、街灯が不要となるので、街灯の撤去が可能になる。このため、上述した柵は、高所での作業となる街灯のメンテナンス作業の削減に寄与する。また、街灯が設置されている場合に比較して歩道橋の下に向かう光が抑制されるので、歩道橋の下を通る道路を通行する車両のドライバーが眩しく感じる可能性が低減される。
【００２７】
本発明の望ましい態様として、改修ユニットは、既存のバラスターに取り付けられる改修ユニットであって、前記バラスターを両側から挟む第１挟持部および第２挟持部と、前記第２挟持部から前記第１挟持部とは反対側に突出する連結部と、を含むアダプターと、前記連結部に固定されており、前記バラスターの並ぶ方向に沿う鉛直面に対する前後方向のうち少なくとも一方に光を照射するように照明装置を内蔵できる照明ユニットと、を備えることが好ましい。これにより、柵において照明装置のメンテナンスが必要になった場合、照明ユニットを照明装置と一体にバラスターから取り外すことが可能である。このため、改修ユニットは、照明装置の取り外し作業および取付作業における作業性を向上させることができる。
【００２８】
本発明の望ましい態様として、前記第１挟持部は、前記バラスターに対向する表面から突出し且つ前記バラスターに接する締結部材を備え、前記アダプターは、前記締結部材と前記バラスターとの間および前記第２挟持部と前記バラスターとの間に生ずる摩擦によって、前記バラスターに固定されていることが好ましい。これにより、バラスターに対して穴を開ける等の加工が不要となるので、改修ユニットをバラスターに取り付ける際の作業性が向上する。
【００２９】
本発明の望ましい態様として、改修方法は、既存の柵の改修方法であって、既存のバラスターに、前記バラスターの並ぶ方向に沿う鉛直面に対する前後方向のうち少なくとも一方に光を照射するように照明装置を内蔵できる照明ユニットを取り付ける工程を含むことが好ましい。この改修方法によって改修された柵において照明装置のメンテナンスが必要になった場合、照明ユニットを照明装置と一体にバラスターから取り外すことが可能である。このため、改修方法は、柵のメンテナンス時の照明装置の取り外し作業および取付作業における作業性を向上させることができる。
【発明の効果】
【００３０】
本発明によれば、照明装置の取り外し作業および取付作業における作業性を向上させることができるバラスター、柵、改修ユニットおよび改修方法を提供することができる。
【図面の簡単な説明】
【００３１】
【図１】図１は、実施形態１に係る柵を示す正面図である。
【図２】図２は、実施形態１に係る柵を示す平面図である。
【図３】図３は、図１におけるＡ−Ａ断面図である。
【図４】図４は、図１におけるＢ−Ｂ断面図である。
【図５】図５は、図１におけるＣ−Ｃ断面図である。
【図６】図６は、図１におけるＤ−Ｄ断面図である。
【図７】図７は、実施形態１に係る照明装置を示す平面図である。
【図８】図８は、変形例１に係るバラスターを示す断面図である。
【図９】図９は、変形例２に係るバラスターを示す断面図である。
【図１０】図１０は、変形例３に係るバラスターを示す断面図である。
【図１１】図１１は、変形例４に係るバラスターを示す断面図である。
【図１２】図１２は、変形例５に係るバラスターを示す断面図である。
【図１３】図１３は、変形例６に係るバラスターを示す断面図である。
【図１４】図１４は、変形例６に係るバラスターを示す断面図である。
【図１５】図１５は、変形例７に係るバラスターを示す断面図である。
【図１６】図１６は、変形例８に係るバラスターを示す断面図である。
【図１７】図１７は、変形例９に係る柵を示す断面図である。
【図１８】図１８は、変形例９に係るバラスターを示す断面図である。
【図１９】図１９は、変形例１０に係る柵を示す断面図である。
【図２０】図２０は、変形例１１に係る柵を階段から見た内観図である。
【図２１】図２１は、実施形態２に係る改修柵を示す正面図である。
【図２２】図２２は、図２１におけるＥ−Ｅ断面図である。
【図２３】図２３は、図２１におけるＦ−Ｆ断面図である。
【発明を実施するための形態】
【００３２】
本発明を実施するための実施形態について、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。また、一部の構成要素を用いない場合もある。
【００３３】
（実施形態１）
図１は、実施形態１に係る柵を示す正面図である。図２は、実施形態１に係る柵を示す平面図である。図３は、図１におけるＡ−Ａ断面図である。図４は、図１におけるＢ−Ｂ断面図である。図５は、図１におけるＣ−Ｃ断面図である。図６は、図１におけるＤ−Ｄ断面図である。実施形態１に係る柵１は、例えば歩行者が通る通路１００に設けられた高欄である。なお、柵１は、車両が通る道路に設けられた高欄であってもよい。また、柵は、高欄、車両用防護柵、手摺、歩道柵およびフェンス等を含む総称であり、以下においても同様の意味で使用される。
【００３４】
図１〜図３に示すように、柵１は、通路１００の縁に設けられた地覆２００に設けられている。地覆２００は、通路１００の縁に沿って設けられており、通路１００の路面よりも上方に突出している。例えば、地覆２００はコンクリートで形成されており、通路１００の路面よりも１００ｍｍ程度高くなっている。
【００３５】
柵１は、支柱１０と、第１横部材１１と、第２横部材１２と、バラスター２と、を備える。支柱１０は、通路１００の縁に沿って複数設けられており、それぞれ台座１０１を介して地覆２００に固定されている。複数の支柱１０は、互いに所定間隔を空けて配置されている。支柱１０は、例えば構造用アルミニウム合金等で形成されている。
【００３６】
第１横部材１１は、隣接する支柱１０に架け渡された、水平方向に長い長尺部材である。図５に示すように、第１横部材１１は、外側部材１１１と、内側部材１１２と、を備える。外側部材１１１は、例えば構造用アルミニウム合金等で形成された、略Ｕ字状の押し出し形材である。外側部材１１１は、ボルト等の締結部材によって支柱１０に固定されている。内側部材１１２は、例えば構造用アルミニウム合金等で形成された、略Ｉ字状の押し出し形材である。内側部材１１２は、外側部材１１１の内側に配置されており、外側部材１１１に支持されている。より具体的には、外側部材１１１の内壁に２つの突出部が設けられており、内側部材１１２の両端部に設けられた溝が外側部材１１１の突出部に引っ掛けられている。
【００３７】
第２横部材１２は、隣接する支柱１０に架け渡された、水平方向に長い長尺部材である。第２横部材１２は、第１横部材１１の下方に配置されており、ボルト等の締結部材によって支柱１０に固定されている。第２横部材１２は、例えば構造用アルミニウム合金等で形成されている。図６に示すように、第２横部材１２は、例えば略Ｕ字状の押し出し形材である。
【００３８】
バラスター２は、第１横部材１１および第２横部材１２に支持された、鉛直方向に長い長尺部材である。より具体的には、バラスター２の一端が第１横部材１１の内側部材１１２に連結されており、バラスター２の他端が第２横部材１２に連結されている。バラスター２は、支柱１０の並ぶ方向に沿って複数設けられている。複数のバラスター２は、互いに所定間隔を空けて配置されている。以下の説明において、バラスター２の並ぶ方向に沿う鉛直面１０００（図２および図３参照）に対する直交方向は、前後方向と記載される。また、柵１から見て通路１００がある方向は前方Ｄｆと記載され、柵１から見て通路１００とは反対方向は後方Ｄｂと記載される。例えば図２において、下方が前方Ｄｆであり、上方が後方Ｄｂである。例えば図３において、右方が前方Ｄｆであり、左方が後方Ｄｂである。また、水平方向であって前後方向に対する直交方向は、左右方向と記載される。すなわち、バラスター２の並ぶ方向が左右方向である。
【００３９】
図４に示すように、バラスター２は、バラスター本体２１と、照明取付用補助体２２と、照明装置収納ケース２３と、透光性カバー２４と、緩衝部材２５と、を備える。
【００４０】
バラスター本体２１は、バラスター２に求められる強度を確保するための部材であって、照明取付用補助体２２を支持する。例えば構造用アルミニウム合金等で形成されている。バラスター本体２１は、例えば筒状の押し出し形材であって、内部に２つのビスホール２１２およびビスホール２１３を備える。２つのビスホール２１２およびビスホール２１３は前後方向に並べられている。図５に示すように、第１横部材１１の内側部材１１２を貫通するネジ２８がビスホール２１２およびビスホール２１３に挿入されることで、バラスター本体２１が内側部材１１２に連結されている。図６に示すように、第２横部材１２を貫通するネジ２９がビスホール２１２およびビスホール２１３に挿入されることで、バラスター本体２１が第２横部材１２に連結されている。
【００４１】
図４に示すように、バラスター本体２１は、基部２１８と、固定部２１０と、を備える。基部２１８は、バラスター本体２１のうち後方Ｄｂの端部に配置されている。例えば、基部２１８の断面形状は略Ｕ字状であって、基部２１８の左右方向の幅は、前方Ｄｆに向かうにしたがって大きくなっている。固定部２１０は、例えば、基部２１８の前方Ｄｆに基部２１８と一体に設けられている。固定部２１０は、突起２１９と、孔２１１と、位置決め部２１４と、を備える。
【００４２】
突起２１９は、基部２１８の前方Ｄｆの端部から前方Ｄｆに向かって突出している。例えば、突起２１９の断面形状は、基部２１８の略Ｕ字状とは反対向きの略Ｕ字状である。より具体的には、突起２１９は、左右方向に対して直交する２つの側面と、前後方向に対して直交し且つ２つの側面を接続する端面と、を含む。孔２１１は、突起２１９の側面に設けられている。例えば、突起２１９の左右方向の幅は一定であって、基部２１８の前方Ｄｆの端部における左右方向の幅よりも小さい。これにより、基部２１８と突起２１９との間に段差が生じている。このため、基部２１８の前方Ｄｆの端部には、前後方向に対して直交する端面として位置決め部２１４が形成されている。言い換えると、バラスター本体２１のうち位置決め部２１４よりも後方Ｄｂ側の部材が基部２１８であり、バラスター本体２１のうち位置決め部２１４よりも前方Ｄｆ側の部材が突起２１９である。
【００４３】
照明取付用補助体２２は、照明装置３を内蔵できる筐体であって、バラスター本体２１に取り付けられる。すなわち、照明取付用補助体２２は、バラスター本体２１に照明装置３を取り付けるための部材である。照明取付用補助体２２は、例えば構造用アルミニウム合金等で形成された、略Ｈ字状の押し出し形材である。照明取付用補助体２２は、光を通さない部材、すなわち遮光性部材である。照明取付用補助体２２は、基部２２０と、挟持部２２１と、爪部２２３と、を備える。基部２２０は、バラスター本体２１の突起２１９の端面の前方Ｄｆに配置されている。例えば、基部２２０の断面形状は、前方Ｄｆに向かって開口する略Ｕ字状である。基部２２０の左右方向の幅は、前方Ｄｆに向かうにしたがって小さくなっている。挟持部２２１は２つ設けられている。２つの挟持部２２１のそれぞれは、基部２２０の後方Ｄｂの端部における左右方向の両端から、後方Ｄｂに向かって突出している。挟持部２２１は、突起２１９の側面に接している。すなわち、一対の挟持部２２１が突起２１９を両側から挟んでいる。挟持部２２１の左右方向の厚みは、バラスター本体２１における基部２１８と突起２１９との間の段差の大きさに等しい。これにより、バラスター本体２１と挟持部２２１との間に段差が生じにくくなっている。また、挟持部２２１の前後方向の長さは、バラスター本体２１の突起２１９の前後方向の長さに等しい。これにより、挟持部２２１の先端が、バラスター本体２１の位置決め部２１４に接している。位置決め部２１４は、照明取付用補助体２２の前後方向における位置を規制している。また、挟持部２２１には孔２２２が設けられている。孔２２２は、突起２１９に設けられた孔２１１に重なるように配置されている。孔２１１および孔２２２に対して固定部材２６が固着される。固定部材２６は、例えばボルトであり、より具体的には超極低頭ボルトである。これにより、照明取付用補助体２２がバラスター本体２１に連結されている。爪部２２３は、基部２２０の前方Ｄｆの端部において、左右方向の内側に向かって突出している。
【００４４】
照明装置収納ケース２３は、照明取付用補助体２２の内部に照明装置３を配置する作業を容易にし、且つ照明装置３を保護するための部材である。照明装置収納ケース２３は、例えば合成樹脂等で形成されている。照明装置収納ケース２３の断面形状は、前方Ｄｆに向かって開口する略Ｕ字状である。照明装置収納ケース２３は、照明取付用補助体２２の基部２２０の内部に配置されている。照明装置収納ケース２３の底面には、後述する照明装置３の発光部３１が取り付けられている。また、基部２２０のうち照明装置収納ケース２３の底面に対向する位置に、位置決め部材２７が設けられている。位置決め部材２７は、例えば六角穴付き止めねじであって、基部２２０に設けられた雌ネジ２２４に取り付けられている。位置決め部材２７は、雌ネジ２２４から前方Ｄｆに突出しており、照明装置収納ケース２３を前方Ｄｆに向かって押している。これにより、照明装置収納ケース２３は、透光性カバー２４および緩衝部材２５を介して爪部２２３と位置決め部材２７とに挟まれることで位置決めされる。位置決め部材２７が照明装置収納ケース２３を押していることで、照明装置収納ケース２３のガタツキが抑制される。なお、六角穴付き止めねじは、イモネジ等とも称される。
【００４５】
透光性カバー２４は、発光部３１の光を所定の方向に透過させる部材である。透光性カバー２４は、例えばポリカーボネート等で形成された板状部材である。透光性カバー２４は、照明取付用補助体２２の前方Ｄｆの端部に配置されており、照明装置収納ケース２３の開口部分を覆っている。また、透光性カバー２４は、鉛直面１０００と平行に配置されており、照明装置収納ケース２３の底面に設けられた発光部３１に対向している。透光性カバー２４は、照明装置収納ケース２３で爪部２２３に押えつけられることによって、照明取付用補助体２２に固定されている。
【００４６】
緩衝部材２５は、例えば合成樹脂等で形成されている。緩衝部材２５は、透光性カバー２４と爪部２２３との間に配置されている。緩衝部材２５は、加えられる力の大きさに応じて変形することで、透光性カバー２４と爪部２２３との間を埋めている。
【００４７】
なお、固定部材２６は、必ずしもボルトでなくてもよく、例えばリベット等であってもよい。また、位置決め部材２７は、必ずしも六角穴付き止めねじでなくてもよく、例えば皿ネジ等であってもよい。また、透光性カバー２４は、必ずしもポリカーボネートでなくてもよく、例えばアクリル等であってもよい。また、緩衝部材２５は、必ずしも合成樹脂でなくてもよく、例えば合成ゴム等であってもよい。さらに、緩衝部材２５はなくてもよい。
【００４８】
図７は、実施形態１に係る照明装置を示す平面図である。図７に示すように、照明装置３は、発光部３１と、配線３２と、電源装置３３と、配線３４と、を備える。
【００４９】
発光部３１は、基体３１０と、複数の発光素子３１１と、を備える。基体３１０は、例えばシリコーンゴム等で形成された可撓性部材である。例えば、基体３１０は、厚みが３ｍｍ程度のテープ状に形成されている。基体３１０は、例えば接着材によって、図４に示した照明装置収納ケース２３に貼り付けられている。発光素子３１１は、例えば発光ダイオードすなわちＬＥＤ（Light  Emitting  Diode）である。図７に示すように、複数の発光素子３１１は、基体３１０の長手方向に沿って等間隔に並べられている。
【００５０】
電源装置３３は、交流電力を直流電力に変換する装置であり、いわゆるＡＣ−ＤＣアダプタである。電源装置３３は、配線３２によって発光部３１と電気的に接続されている。電源装置３３は、配線３２を介して直流電力を発光素子３１１に供給することができる。また、電源装置３３には、配線３２とは反対側の位置に配線３４が設けられている。
【００５１】
図５に示すように、照明装置３は、照明取付用補助体２２の内部に収納されている。例えば実施形態１においては、電源装置３３が照明取付用補助体２２の上端部に配置されており、電源装置３３の下端部から配線３２および発光部３１が下方に向かって設けられている。配線３４は、プラグ等のコネクタ３５を介して配線４１に接続されている。配線４１は、内側部材１１２に設けられた配線用孔１１３を通じて、第１横部材１１の内部に配置された配線４０に接続されている。配線４０は、柵１の付近にある電力線に接続されている。これにより、交流電力が、配線４０、配線４１および配線３４を介して電源装置３３に供給される。
【００５２】
電源装置３３から発光部３１に直流電力が供給されると、発光素子３１１が光を放つ。照明取付用補助体２２は、遮光性部材であるため、発光素子３１１が放つ光の一部を遮蔽することで発光素子３１１が放つ光の方向を規制する。発光素子３１１が放つ光の一部は、発光部３１に対向して配置された透光性カバー２４を前方Ｄｆに向かって透過する。すなわち、バラスター２においては、照明取付用補助体２２に内蔵された照明装置３によって、前方Ｄｆに向かって光が照射される。そして、バラスター２の前方Ｄｆに向かう光は、通路１００の路面を照射する。このように、照明取付用補助体２２は、前方Ｄｆに光を照射するように照明装置３を内蔵することができる。
【００５３】
柵１においては、照明装置３のメンテナンスが必要になった場合、バラスター本体２１から照明取付用補助体２２が取り外される。具体的には、固定部材２６が取り外されることによって、照明取付用補助体２２がバラスター本体２１から離脱することができる。照明取付用補助体２２の一部がバラスター本体２１から離脱すると、配線３４、コネクタ３５および配線４１が露出する。このため、コネクタ３５による配線３４および配線３４の連結の解除が容易である。配線３４および配線３４の連結が解除されると、照明取付用補助体２２および照明装置３が一体のまま柵１から離脱することができる。その後、新たな照明装置３または修理された照明装置３を内蔵した照明取付用補助体２２がバラスター本体２１に取り付けられることで、メンテナンスが完了する。より具体的には、新たな照明装置３または修理された照明装置３の配線３４が配線４１に接続された後に、固定部材２６によって照明取付用補助体２２がバラスター本体２１に取り付けられる。
【００５４】
このように、柵１において照明装置３のメンテナンスが必要になった場合、照明取付用補助体２２を照明装置３と一体にバラスター本体２１から取り外すことが可能である。このため、バラスター２は、照明装置の取り外し作業および取付作業における作業性を向上させることができる。
【００５５】
（変形例１）
図８は、変形例１に係るバラスターを示す断面図である。変形例１に係る柵１においては、上述したバラスター２とは異なるバラスター２Ａが少なくとも１つ設けられている。バラスター２Ａは、上述したバラスター２と比較して、照明取付用補助体２２を備えていない点が異なる。図８に示すように、バラスター２Ａにおいては、固定部２１０が露出している。なお、上述した実施形態１で説明したものと同じ構成要素には同一の符号を付して重複する説明は省略する。
【００５６】
上述したように、照明装置３が放つ光によって通路１００の路面が照射される。例えば、路面の照度は、柵１から２ｍの位置において２０ｌｕｘ以上であることが好ましい。一方、路面の照度が大きすぎると、歩行者またはドライバーが眩しく感じる可能性がある。このため、全てのバラスター２が光を照射しなくてもよいことがある。このような場合、複数のバラスター２のうち光を照射する必要のない位置に対応するバラスター２を、変形例１に係るバラスター２Ａとすることで、バラスター２の並ぶ間隔が保たれると共に路面の照度の調整が容易となる。また、バラスター２Ａに対しては、必要に応じて照明取付用補助体２２が容易に取り付けられる。
【００５７】
（変形例２）
図９は、変形例２に係るバラスターを示す断面図である。変形例２に係る柵１においては、ダミー部材２Ｂが少なくとも１つ設けられている。なお、上述した実施形態１で説明したものと同じ構成要素には同一の符号を付して重複する説明は省略する。
【００５８】
図９に示すように、ダミー部材２Ｂは、例えば構造用アルミニウム合金等で形成されている。ダミー部材２Ｂは、例えば筒状の押し出し形材であって、内部に２つのビスホール２１２Ｂおよびビスホール２１３Ｂを備える。２つのビスホール２１２Ｂおよびビスホール２１３Ｂの配置は、実施形態１に係るバラスター本体２１のビスホール２１２およびビスホール２１３の配置と同じである。これにより、ダミー部材２Ｂは、実施形態１に係るバラスター本体２１と同様に、第１横部材１１および第２横部材１２に連結される。
【００５９】
変形例１で説明したように、全てのバラスター２が光を照射しなくてもよい場合、複数のバラスター２のうちのいくつかを変形例１に係るバラスター２Ａに置き換えることで、バラスター２の並ぶ間隔が保たれると共に路面の照度の調整が容易となる。しかしながら、外観が異なるバラスター２およびバラスター２Ａが混在している状態では、柵１の意匠性が向上しにくい可能性がある。
【００６０】
これに対して、ダミー部材２Ｂを長手方向に対して垂直な平面で切った断面形状は、上述したバラスター２を長手方向に対して垂直な平面で切った断面形状と同じである。これにより、ダミー部材２Ｂの外観が、バラスター２の外観に類似する。このため、柵１においてバラスター２およびダミー部材２Ｂが混在している場合でも、柵１の意匠性が向上する。
【００６１】
（変形例３）
図１０は、変形例３に係るバラスターを示す断面図である。変形例３に係るバラスター２Ｃは、バラスター本体２１Ｃと、照明取付用補助体２２Ｃと、を備える。なお、上述した実施形態１で説明したものと同じ構成要素には同一の符号を付して重複する説明は省略する。
【００６２】
バラスター本体２１Ｃは、実施形態１に係る固定部２１０とは異なる固定部２１０Ｃを備える。固定部２１０Ｃにおける突起２１９Ｃは、側面（左右方向に対して直交する面）に凹部２１５を備える。
【００６３】
照明取付用補助体２２Ｃは、実施形態１に係る挟持部２２１とは異なる挟持部２２１Ｃを備える。挟持部２２１Ｃは、突起２１９Ｃの側面に対向する表面に凸部２２５を備える。凸部２２５は、凹部２１５に重なる位置に配置されており、凹部２１５に噛み合っている。
【００６４】
変形例３に係るバラスター２Ｃにおいて、バラスター本体２１Ｃに照明取付用補助体２２Ｃが取り付けられる際、挟持部２２１Ｃが突起２１９Ｃに向かって押し込まれる。凸部２２５が突起２１９Ｃの側面に接すると、挟持部２２１Ｃが左右方向に変形する。そして、凸部２２５が凹部２１５の位置に達すると、挟持部２２１Ｃの変形が復元することで凸部２２５が凹部２１５に噛み合う。これにより、照明取付用補助体２２Ｃがバラスター本体２１Ｃに固定される。なお、このような取付方法は、メカニカルクランプ方式と称されることがある。
【００６５】
変形例３に係るバラスター２Ｃにおいては、バラスター本体２１Ｃに照明取付用補助体２２Ｃを固定するための別部材が不要である。このため、変形例３に係るバラスター２Ｃは、バラスター本体２１Ｃに対する照明取付用補助体２２Ｃの取付を容易にすることができる。すなわち、バラスター２Ｃは、バラスター本体２１Ｃに照明取付用補助体２２Ｃが取り付けられる時の作業性を向上させることができる。
【００６６】
（変形例４）
図１１は、変形例４に係るバラスターを示す断面図である。変形例４に係るバラスター２Ｄは、上述した実施形態１に係るバラスター２と比較して、照明装置収納ケース２３を備えていない点が異なる。なお、上述した実施形態１で説明したものと同じ構成要素には同一の符号を付して重複する説明は省略する。
【００６７】
図１１に示すように、バラスター２Ｄは、照明取付用補助体２２Ｄと、透光性カバー２４Ｄと、を備える。照明取付用補助体２２Ｄは、実施形態１に係る爪部２２３とは異なる爪部２２３Ｄを備える。爪部２２３Ｄは、基部２２０の前方Ｄｆの端部において、左右方向の内側に向かって突出している。より具体的には、爪部２２３Ｄは、基部２２０の先端部から、透光性カバー２４Ｄの厚み分だけ後方Ｄｂ側に寄った位置に配置されている。透光性カバー２４Ｄは、例えば接着材によって爪部２２３Ｄの前方Ｄｆ側の表面に固定されている。
【００６８】
バラスター２Ｄにおいては、照明装置３の発光部３１が照明取付用補助体２２Ｄに直接取り付けられている。具体的には、発光部３１は、接着材によって基部２２０の底面に貼り付けられている。
【００６９】
バラスター２Ｄは、上述した実施形態１に比較して、照明装置収納ケース２３を備えないため、部品点数を低減することができる。このため、バラスター２Ｄは、容易に組み立てることができる。
【００７０】
バラスター２Ｄは、工場等において事前に照明装置３を照明取付用補助体２２Ｄに固定することができる場合に用いられることが好ましい。上述した実施形態１に係るバラスター２においては、工場等において事前に照明装置３が照明取付用補助体２２に取り付けられてもよいし、現場で照明装置３が照明取付用補助体２２に取り付けられてもよい。一方、バラスター２Ｄにおいては、照明装置３を照明取付用補助体２２Ｄに固定した後に、透光性カバー２４Ｄを接着材等を用いて照明取付用補助体２２Ｄに固定する必要がある。このため、照明取付用補助体２２Ｄの組み立ては、工場等において行われる方が好ましい。
【００７１】
（変形例５）
図１２は、変形例５に係るバラスターを示す断面図である。変形例５に係るバラスター２Ｅは、上述した実施形態１に係るバラスター２と比較して、照明装置収納ケース２３を備えていない点が異なる。なお、上述した実施形態１で説明したものと同じ構成要素には同一の符号を付して重複する説明は省略する。
【００７２】
図１２に示すように、バラスター２Ｅは、照明取付用補助体２２Ｅと、透光性カバー２４Ｅと、を備える。照明取付用補助体２２Ｅは、実施形態１に係る爪部２２３とは異なる爪部２２３Ｅを備える。爪部２２３Ｅは、基部２２０の前方Ｄｆの端部において、左右方向の内側に向かって突出している。より具体的には、爪部２２３Ｅは、基部２２０の先端部から、透光性カバー２４Ｅの板部２４０の厚み分だけ後方Ｄｂ側に寄った位置に配置されている。透光性カバー２４Ｅは、板状に形成された板部２４０と、板部２４０から後方Ｄｂに突出する２つのカバー側爪部２４１と、を備える。板部２４０は、爪部２２３Ｅの前方Ｄｆ側の表面に接する。カバー側爪部２４１は、爪部２２３Ｅと噛み合っている。
【００７３】
変形例５に係るバラスター２Ｅにおいて、照明取付用補助体２２Ｅに透光性カバー２４Ｅが取り付けられる際、カバー側爪部２４１が１対の爪部２２３Ｅの間に押し込まれる。カバー側爪部２４１が爪部２２３Ｅに接すると、カバー側爪部２４１が左右方向に変形する。そして、カバー側爪部２４１が爪部２２３Ｅを乗り越えたとき、爪部２２３Ｅの変形が復元することでカバー側爪部２４１が爪部２２３Ｅに噛み合う。これにより、透光性カバー２４Ｅが照明取付用補助体２２Ｅに固定される。なお、このような取付方法は、メカニカルクランプ方式と称されることがある。
【００７４】
バラスター２Ｅにおいては、照明装置３の発光部３１が照明取付用補助体２２Ｅに直接取り付けられている。具体的には、発光部３１は、接着材によって基部２２０の底面に貼り付けられている。
【００７５】
バラスター２Ｅは、上述した実施形態１に比較して、照明装置収納ケース２３を備えないため、部品点数を低減することができる。このため、バラスター２Ｅは、容易に組み立てることができる。
【００７６】
また、変形例５に係るバラスター２Ｅにおいては、照明取付用補助体２２Ｅに透光性カバー２４Ｅを固定するための接着材が不要である。このため、変形例５に係るバラスター２Ｅは、照明取付用補助体２２Ｅに対する透光性カバー２４Ｅの取付を容易にすることができる。すなわち、バラスター２Ｅは、照明取付用補助体２２Ｅに透光性カバー２４Ｅが取り付けられる時の作業性を向上させることができる。
【００７７】
さらに、接着材を用いる工程がなくなるので、照明取付用補助体２２Ｅに透光性カバー２４Ｅを固定する作業が現場においても容易となる。このため、変形例５に係るバラスター２Ｅにおいては、工場等において事前に照明装置３が照明取付用補助体２２Ｅに取り付けられてもよいし、現場で照明装置３が照明取付用補助体２２Ｅに取り付けられてもよい。
【００７８】
（変形例６）
図１３は、変形例６に係るバラスターを示す断面図である。図１４は、変形例６に係るバラスターを示す断面図である。変形例６に係るバラスター２Ｆは、上述した実施形態１に係るバラスター２と比較して、照明装置３が放つ光の方向が異なる。なお、上述した実施形態１で説明したものと同じ構成要素には同一の符号を付して重複する説明は省略する。
【００７９】
図１３に示すように、照明取付用補助体２２Ｆは、基部２２０Ｆと、挟持部２２１と、爪部２２６と、爪部２２７と、を備える。基部２２０Ｆの断面形状は、突起２１９に対向する一辺と、一辺の一端から前方Ｄｆに突出する他辺とを有する略Ｌ字状である。爪部２２６は、基部２２０Ｆの前方Ｄｆの端部において、左右方向の内側に向かって突出している。爪部２２７は、基部２２０Ｆの左右方向の端部において、前方Ｄｆに向かって突出している。より具体的には、爪部２２６は、基部２２０Ｆの先端部から、透光性カバー２４Ｆの厚み分だけ後方Ｄｂ側に寄った位置に配置されている。爪部２２７は、基部２２０Ｆの先端部から、透光性カバー２４Ｆの厚み分だけ左右方向の内側に寄った位置に配置されている。
【００８０】
透光性カバー２４Ｆは、例えば、一部が屈曲した板状部材である。透光性カバー２４Ｆは、例えば接着材によって爪部２２６の前方Ｄｆ側の表面、および爪部２２７の左右方向の外側表面に固定されている。また、バラスター２Ｆにおいては、照明装置３の発光部３１が照明取付用補助体２２Ｆに直接取り付けられている。
【００８１】
発光素子３１１が放つ光の一部は、発光部３１の前方Ｄｆおよび左右方向の一方に配置された透光性カバー２４Ｆを前方Ｄｆおよび左右方向の一方に向かって透過する。すなわち、バラスター２Ｆにおいては、照明取付用補助体２２Ｆに内蔵された照明装置３によって、前方Ｄｆおよび左右方向の一方に向かって光が照射される。そして、バラスター２Ｆの前方Ｄｆおよび左右方向の一方に向かう光は、通路１００の路面を照射する。このように、照明取付用補助体２２Ｆは、前方Ｄｆおよび左右方向の一方に光を照射するように照明装置３を内蔵することができる。
【００８２】
バラスター２Ｆにおいては、光が前方Ｄｆおよび左右方向の一方に照射されるので、実施形態１のバラスター２に比較して、照射できる面積が大きくなる。このため、バラスター２Ｆを用いた柵１においては、通路１００の路面の照度を所定値以上とするために必要なバラスター２Ｆの数を低減することができる。したがって、バラスター２Ｆは、通路１００の路面の照度を所定値以上とするための消費電力を抑制することができる。
【００８３】
また、通路１００における歩行者の進行方向が一定である場合、バラスター２Ｆが放つ光の方向は、前方Ｄｆおよび左右方向のうち歩行者の進行方向と同じ方向であることが好ましい。すなわち、透光性カバー２４Ｆは、発光部３１に対して前方Ｄｆと、発光部３１に対して歩行者の進行方向と同じ方向とを覆うように配置されることが好ましい。言い換えると、図１３に示すバラスター２Ｆは、歩行者の進行方向が図１３の左側から右側に向かう方向であるときに用いられることが好ましい。仮に歩行者の進行方向とは反対方向に向かって光が照射される場合、光が歩行者の目に入射しやすいので、歩行者が眩しく感じる可能性がある。これに対して、バラスター２Ｆは、光が歩行者の目に入射することを抑制するので、歩行者が眩しく感じる可能性を低減することができる。
【００８４】
なお、通路１００が車両の通る道路である場合、バラスター２Ｆが放つ光の方向は、前方Ｄｆおよび左右方向のうち車両の進行方向と同じ方向とすればよい。また、図１４に示すように、照明取付用補助体２２Ｆの位置と透光性カバー２４Ｆの位置とを逆転させることで、バラスター２Ｆは、歩行者または車両の進行方向が逆である通路１００にも適用することができる。
【００８５】
（変形例７）
図１５は、変形例７に係るバラスターを示す断面図である。変形例７に係るバラスター２Ｇは、上述した実施形態１に係るバラスター２と比較して、照明装置３が放つ光の方向が異なる。なお、上述した実施形態１で説明したものと同じ構成要素には同一の符号を付して重複する説明は省略する。
【００８６】
図１５に示すように、照明取付用補助体２２Ｇは、基部２２０Ｇと、挟持部２２１と、爪部２２６Ｇと、爪部２２７Ｇと、を備える。基部２２０Ｇの断面形状は、突起２１９に対向する一辺と、一辺の一端から前方Ｄｆに突出する他辺とを有する略Ｌ字状である。爪部２２６Ｇは、基部２２０Ｇの前方Ｄｆの端部において、左右方向の内側に向かって突出しており、複数の屈曲部を有する。爪部２２７Ｇは、基部２２０Ｇの左右方向の端部において、前方Ｄｆに向かって突出しており、屈曲部を有する。より具体的には、爪部２２６Ｇは、略Ｓ字状に屈曲している。爪部２２７Ｇは、略Ｌ字状に屈曲している。
【００８７】
透光性カバー２４Ｇは、例えば、一部が屈曲した板状部材である。透光性カバー２４Ｇは、カバー側爪部２４２と、カバー側爪部２４３と、カバー側爪部２４４と、カバー側爪部２４５と、を備える。カバー側爪部２４２およびカバー側爪部２４３が、爪部２２６Ｇと噛み合っている。カバー側爪部２４４およびカバー側爪部２４５が、爪部２２７Ｇと噛み合っている。
【００８８】
変形例７に係るバラスター２Ｇにおいて、照明取付用補助体２２Ｇに透光性カバー２４Ｇが取り付けられる際、透光性カバー２４Ｇが変形した状態で爪部２２６Ｇと爪部２２７Ｇとの間に押し込まれる。そして、カバー側爪部２４２およびカバー側爪部２４３が、爪部２２６Ｇと噛み合うとともに、カバー側爪部２４４およびカバー側爪部２４５が、爪部２２７Ｇと噛み合う。これにより、透光性カバー２４Ｇが照明取付用補助体２２Ｇに固定される。なお、このような取付方法は、メカニカルクランプ方式と称されることがある。
【００８９】
また、変形例７に係るバラスター２Ｇにおいては、照明取付用補助体２２Ｇに透光性カバー２４Ｇを固定するための接着材が不要である。このため、変形例７に係るバラスター２Ｇは、照明取付用補助体２２Ｇに対する透光性カバー２４Ｇの取付を容易にすることができる。すなわち、バラスター２Ｇは、照明取付用補助体２２Ｇに透光性カバー２４Ｇが取り付けられる時の作業性を向上させることができる。
【００９０】
（変形例８）
図１６は、変形例８に係るバラスターを示す断面図である。変形例８に係るバラスター２Ｈは、上述した実施形態１に係るバラスター２と比較して、照明装置３が放つ光の方向が異なる。なお、上述した実施形態１で説明したものと同じ構成要素には同一の符号を付して重複する説明は省略する。
【００９１】
図１６に示すように、照明取付用補助体２２Ｈは、基部２２０Ｈと、挟持部２２１と、爪部２２８と、を備える。基部２２０Ｈは、突起２１９に対向する板状部材である。爪部２２８は、基部２２０Ｈの左右方向の両端部において、前方Ｄｆに向かって突出している。より具体的には、爪部２２８は、基部２２０Ｈの先端部から、透光性カバー２４Ｈの厚み分だけ左右方向の内側に寄った位置に配置されている。
【００９２】
透光性カバー２４Ｈは、例えば、一部が屈曲した板状部材である。透光性カバー２４Ｈの断面形状は、略Ｕ字状である。透光性カバー２４Ｈは、例えば接着材によって爪部２２８の左右方向の外側表面に固定されている。また、バラスター２Ｈにおいては、照明装置３の発光部３１が照明取付用補助体２２Ｈに直接取り付けられている。透光性カバー２４Ｈは、発光部３１に対する前方Ｄｆおよび左右方向の両方を覆っている。
【００９３】
発光素子３１１が放つ光の一部は、発光部３１の前方Ｄｆおよび左右方向の両方に配置された透光性カバー２４Ｈを前方Ｄｆおよび左右方向の両方に向かって透過する。すなわち、バラスター２Ｈにおいては、照明取付用補助体２２Ｈに内蔵された照明装置３によって、前方Ｄｆおよび左右方向の両方に向かって光が照射される。そして、バラスター２Ｈの前方Ｄｆおよび左右方向の両方に向かう光は、通路１００の路面を照射する。このように、照明取付用補助体２２Ｈは、前方Ｄｆおよび左右方向の両方に光を照射するように照明装置３を内蔵することができる。
【００９４】
バラスター２Ｈにおいては、光が前方Ｄｆおよび左右方向の両方に照射されるので、実施形態１のバラスター２および変形例６に係るバラスター２Ｆに比較して、照射できる面積が大きくなる。このため、バラスター２Ｈを用いた柵１においては、通路１００の路面の照度を所定値以上とするために必要なバラスター２Ｈの数を低減することができる。したがって、バラスター２Ｈは、通路１００の路面の照度を所定値以上とするための消費電力を抑制することができる。
【００９５】
（変形例９）
図１７は、変形例９に係る柵を示す断面図である。図１８は、変形例９に係るバラスターを示す断面図である。なお、上述した実施形態１で説明したものと同じ構成要素には同一の符号を付して重複する説明は省略する。
【００９６】
図１７に示すように、変形例９に係る柵１Ｉは、例えば歩行者が通る通路１００ａと通路１００ｂとの間の地覆２００に設けられた高欄である。このため、柵１Ｉに設けられるバラスター２Ｉは、柵１Ｉの前方Ｄｆおよび後方Ｄｂの両方に光を照射できることが好ましい。なお、通路１００ａおよび通路１００ｂは、車両が通る道路であってもよい。変形例９の説明においては、柵１Ｉから見て通路１００ａがある方向が前方Ｄｆと記載され、柵１Ｉから見て通路１００ｂがある方向が後方Ｄｂと記載される。例えば図１７において、右方が前方Ｄｆであり、左方が後方Ｄｂである。
【００９７】
図１８に示すように、バラスター２Ｉは、１つのバラスター本体２１Ｉに対して２つの照明取付用補助体２２を備える。より具体的には、バラスター本体２１Ｉの前後方向の両端部に１つずつ固定部２１０が設けられており、２つの固定部２１０のそれぞれに照明取付用補助体２２が取り付けられている。
【００９８】
一方の照明取付用補助体２２において、発光素子３１１が放つ光の一部は、発光部３１に対向して配置された透光性カバー２４を前方Ｄｆに向かって透過する。すなわち、一方の照明取付用補助体２２においては、照明取付用補助体２２に内蔵された照明装置３によって、前方Ｄｆに向かって光が照射される。そして、バラスター２Ｉの前方Ｄｆに向かう光は、通路１００ａの路面を照射する。
【００９９】
他方の照明取付用補助体２２において、発光素子３１１が放つ光の一部は、発光部３１に対向して配置された透光性カバー２４を後方Ｄｂに向かって透過する。すなわち、他方の照明取付用補助体２２においては、照明取付用補助体２２に内蔵された照明装置３によって、後方Ｄｂに向かって光が照射される。そして、バラスター２Ｉの後方Ｄｂに向かう光は、通路１００ｂの路面を照射する。
【０１００】
このように、変形例９に係るバラスター２Ｉは、前方Ｄｆに光を照射するように照明装置３を内蔵することができる照明取付用補助体２２を備えると共に、後方Ｄｂに光を照射するように照明装置３を内蔵することができる照明取付用補助体２２を備える。このため、変形例９に係るバラスター２Ｉは、前方Ｄｆおよび後方Ｄｂの両方に光を照射することができる。
【０１０１】
（変形例１０）
図１９は、変形例１０に係る柵を示す断面図である。変形例１０に係るバラスター２Ｊは、上述した実施形態１に係るバラスター２と比較して、照明装置３の配置が異なる。なお、上述した実施形態１で説明したものと同じ構成要素には同一の符号を付して重複する説明は省略する。
【０１０２】
図１９に示すように、照明装置３は、照明取付用補助体２２の内部に収納されている。変形例１０においては、電源装置３３が照明取付用補助体２２の下端部に配置されており、電源装置３３の上端部から配線３２および発光部３１が上方に向かって設けられている。配線３４は、プラグ等のコネクタ３５Ｊを介して配線４１Ｊに接続されている。配線４１Ｊは、第２横部材１２Ｊに設けられた配線用孔１２１を通じて、第２横部材１２Ｊの内部に配置された配線４０Ｊに接続されている。配線４０Ｊは、柵１の付近にある電力線に接続されている。これにより、交流電力が、配線４０Ｊ、配線４１Ｊおよび配線３４を介して電源装置３３に供給される。
【０１０３】
（変形例１１）
図２０は、変形例１１に係る柵を階段から見た内観図である。なお、上述した実施形態１で説明したものと同じ構成要素には同一の符号を付して重複する説明は省略する。
【０１０４】
図２０に示すように、変形例１１に係る柵１Ｋは、階段３００に設けられた高欄である。階段３００は、例えば歩道橋に設けられる階段である。柵１Ｋは、実施形態１で説明したバラスター２を備える。これにより、柵１Ｋは、階段３００の路面に光が照射できるため、階段３００の歩行者に対する安全性を向上させることができる。
【０１０５】
より詳しくは、柵１Ｋは、登り口３０１、踊り場３０２および降り口３０３に対応する位置にバラスター２を備える。登り口３０１、踊り場３０２および降り口３０３は、勾配の変化する場所であるので、歩行者の安全のために路面の視認性がより重要である。柵１Ｋは、勾配の変化する場所の路面に光が照射されるため、階段３００の歩行者に対する安全性を向上させることができる。
【０１０６】
なお、バラスター２は、必ずしも登り口３０１、踊り場３０２および降り口３０３に対応する位置に設けられていなくてもよい。バラスター２は、登り口３０１、踊り場３０２および降り口３０３のうちの少なくとも１つに対応する位置に設けられていてもよい。また、バラスター２は、登り口３０１、踊り場３０２および降り口３０３に対応する位置以外にも設けられていてもよい。
【０１０７】
なお、従来歩道橋において照明が必要な場合、ポールの先端に照明器具が取り付けられた街灯が設置されていた。このような照明器具に対してメンテナンスが必要になった場合、照明器具が高い位置にあるためメンテナンスが困難になることがあった。これに対して、変形例１１の柵１Ｋを歩道橋に適用すれば、高所での作業が生じないので、従来技術に比較してメンテナンスを容易にすることができる。また、街灯が設置されている場合に比較して歩道橋の下に向かう光が抑制されるので、歩道橋の下を通る道路を通行する車両のドライバーが眩しく感じる可能性が低減される。
【０１０８】
以上で説明したように、実施形態１に係るバラスター２は、柵１の第１横部材１１に固定できるバラスター本体２１を備える。バラスター本体２１は、バラスター本体２１の並ぶ方向に沿う鉛直面１０００に対する前後方向のうち少なくとも一方に光を照射するように照明装置３を内蔵できる照明取付用補助体２２を固定するための固定部２１０を備える。これにより、柵１において照明装置３のメンテナンスが必要になった場合、照明取付用補助体２２を照明装置３と一体にバラスター本体２１から取り外すことが可能である。このため、バラスター２は、照明装置３の取り外し作業および取付作業における作業性を向上させることができる。
【０１０９】
例えば実施形態１に示したように、固定部２１０は、照明取付用補助体２２を固定するための固定部材２６が固着する孔２１１を備える。これにより、バラスター本体２１に対する照明取付用補助体２２の固定が容易になる。
【０１１０】
例えば実施形態１に示したように、固定部２１０は、照明取付用補助体２２によって両側から挟まれる突起２１９を備える。これにより、照明取付用補助体２２のガタツキが抑制される。
【０１１１】
例えば実施形態１に示したように、固定部２１０は、照明取付用補助体２２の前後方向における位置を規制するための位置決め部２１４を備える。これにより、バラスター本体２１に照明取付用補助体２２が取り付けられる際の、照明取付用補助体２２の位置決めが容易になる。
【０１１２】
例えば実施形態１に示したように、バラスター２は、柵１の第１横部材１１に固定できるバラスター本体２１と、照明取付用補助体２２と、を備える。照明取付用補助体２２は、バラスター本体２１に固定されて、バラスター本体２１の並ぶ方向に沿う鉛直面１０００に対する前後方向のうち少なくとも一方に光を照射するように照明装置３を内蔵できる。これにより、柵１において照明装置３のメンテナンスが必要になった場合、照明取付用補助体２２を照明装置３と一体にバラスター本体２１から取り外すことが可能である。このため、バラスター２は、照明装置の取り外し作業および取付作業における作業性を向上させることができる。
【０１１３】
例えば実施形態１に示したように、照明装置３は、テープ状の基体３１０の長手方向に沿って並べられた複数の発光素子３１１を備える。これにより、バラスター２を小型化することが容易になる。
【０１１４】
例えば実施形態１に示したように、照明取付用補助体２２は、バラスター本体２１に設けられた突起２１９を両側から挟むことによりバラスター本体２１に固定される。これにより、照明取付用補助体２２のガタツキが抑制される。
【０１１５】
例えば変形例３に示したように、照明取付用補助体２２Ｃに設けられた凸部２２５とバラスター本体２１Ｃに設けられた凹部２１５とが噛み合うことで、照明取付用補助体２２Ｃがバラスター本体２１Ｃに固定される。これにより、バラスター２Ｃは、バラスター本体２１Ｃに照明取付用補助体２２Ｃを固定するための部材が不要であるため、バラスター本体２１Ｃに照明取付用補助体２２Ｃが取り付けられる時の作業性を向上させることができる。
【０１１６】
例えば実施形態１に示したように、バラスター２は、照明取付用補助体２２の内部に収納可能である照明装置収納ケース２３を備える。照明装置３は、照明装置収納ケース２３に取り付けられる。これにより、照明装置３が破損する可能性が低減される。
【０１１７】
例えば実施形態１に示したように、バラスター２は、照明装置収納ケース２３の前後方向における位置を規制するための位置決め部材２７を備える。これにより、照明装置収納ケース２３のガタツキが抑制される。
【０１１８】
例えば変形例４（または変形例５〜変形例８）に示したように、照明装置３は、照明取付用補助体２２Ｄに取り付けられる。これにより、照明装置収納ケース２３を備える場合に比較して部品点数が低減されるので、バラスター２Ｄの組み立てが容易になる。
【０１１９】
例えば実施形態１に示したように、照明取付用補助体２２は、遮光性部材であって、照明装置３が照射する光の方向を規制する。これにより、バラスター２は、光の向かう方向を、歩行者またはドライバーの進行方向に応じて好ましい方向に制御できる。
【０１２０】
例えば実施形態１に示したように、照明取付用補助体２２の前後方向における先端部に透光性カバー２４が設けられている。これにより、光がバラスター２から前後方向に向かって照射される。このため、歩行者またはドライバーに向かう光が低減されるので、歩行者またはドライバーが眩しく感じる可能性が低減される。
【０１２１】
例えば実施形態１に示したように、柵１は、一方向に沿って並べられる複数の支柱１０と、支柱１０に支持される第１横部材１１と、支柱１０に支持され且つ第１横部材１１の下方に設けられる第２横部材１２と、第１横部材１１および第２横部材１２に支持される複数のバラスター２と、を備える。複数のバラスター２の少なくとも１つは、第１横部材１１および第２横部材１２に固定されるバラスター本体２１と、バラスター本体２１に取り付けられて、バラスター本体２１の並ぶ方向に沿う鉛直面１０００に対する前後方向のうち少なくとも一方に光を照射するように照明装置３を内蔵できる照明取付用補助体２２と、を備える。これにより、柵１において照明装置３のメンテナンスが必要になった場合、照明取付用補助体２２を照明装置３と一体にバラスター本体２１から取り外すことが可能である。このため、柵１は、照明装置の取り外し作業および取付作業における作業性を向上させることができる。
【０１２２】
例えば実施形態１および変形例１０に示したように、第１横部材１１または第２横部材１２Ｊの内部に通された配線４０（または配線４０Ｊ）を介して、照明装置３が有する電源装置３３に電力が供給される。これにより、外から見える配線の数が低減されるので、柵１の意匠性が向上する。
【０１２３】
例えば実施形態１および変形例１０に示したように、電源装置３３は、照明取付用補助体２２の内部に配置されている。これにより、第１横部材１１または第２横部材１２Ｊの内部にスペースが生じやすくなるので、配線４０（または配線４０Ｊ）の施工が容易になる。
【０１２４】
例えば変形例１に示したように、柵１においては、複数のバラスター２のうち光を照射する必要のない位置に対応するバラスター２Ａにおいて、バラスター本体２１の照明取付用補助体２２を固定するための固定部２１０が露出している。全てのバラスター２が光を照射しなくてもよい場合、バラスター２Ａが用いられることで、バラスター２の並ぶ間隔が保たれると共に路面の照度の調整が容易となる。また、バラスター２Ａに対しては、必要に応じて照明取付用補助体２２が容易に取り付けられる。
【０１２５】
例えば変形例２に示したように、柵１は、光を照射する必要のない位置に、第１横部材１１および第２横部材１２に支持されるダミー部材２Ｂを備える。ダミー部材２Ｂを長手方向に対して垂直な平面で切った断面形状は、バラスター本体２１および照明取付用補助体２２を有するバラスター２を長手方向に対して垂直な平面で切った断面形状と同じである。全てのバラスター２が光を照射しなくてもよい場合、ダミー部材２Ｂが用いられることで、バラスター２の並ぶ間隔が保たれると共に路面の照度の調整が容易となる。さらに、ダミー部材２Ｂの外観が、バラスター２の外観に類似する。このため、柵１においてバラスター２およびダミー部材２Ｂが混在している場合でも、柵１の意匠性が向上する。
【０１２６】
例えば変形例１１に示したように、柵１Ｋは、階段３００に設けられる。これにより、柵１Ｋは、階段３００の路面に光が照射できるため、階段３００の歩行者に対する安全性を向上させることができる。
【０１２７】
例えば変形例１１に示したように、バラスター本体２１および照明取付用補助体２２を有するバラスター２は、階段３００の登り口３０１、降り口３０３または踊り場３０２に対応する位置に配置される。これにより、柵１Ｋは、勾配の変化する場所の路面に光が照射されるため、階段３００の歩行者に対する安全性を向上させることができる。
【０１２８】
（実施形態２）
図２１は、実施形態２に係る改修柵を示す正面図である。図２２は、図２１におけるＥ−Ｅ断面図である。図２３は、図２１におけるＦ−Ｆ断面図である。実施形態２に係る柵１Ｌは、既存の柵を改修した柵であって、例えば歩行者が通る通路１００に設けられた高欄である。なお、柵１Ｌは、車両が通る道路に設けられた高欄であってもよい。
【０１２９】
図２１に示すように、柵１Ｌは、支柱１０Ｌと、第１横部材１１Ｌと、第２横部材１２Ｌと、バラスター２Ｌと、を備える。支柱１０Ｌは、通路１００の縁に沿って複数設けられており、図２２に示すようにそれぞれ台座１０１Ｌを介して地覆２００に固定されている。複数の支柱１０Ｌは、互いに所定間隔を空けて配置されている。
【０１３０】
第１横部材１１Ｌは、隣接する支柱１０Ｌに架け渡された、水平方向に長い長尺部材である。第１横部材１１Ｌは、ボルト等の締結部材によって支柱１０Ｌに固定されている。第２横部材１２Ｌは、隣接する支柱１０Ｌに架け渡された、水平方向に長い長尺部材である。第２横部材１２Ｌは、第１横部材１１Ｌの下方に配置されており、ボルト等の締結部材によって支柱１０Ｌに固定されている。
【０１３１】
図２１に示すように、バラスター２Ｌは、第１横部材１１Ｌおよび第２横部材１２Ｌに支持された、鉛直方向に長い長尺部材である。バラスター２Ｌは、支柱１０Ｌの並ぶ方向に沿って複数設けられている。複数のバラスター２Ｌは、互いに所定間隔を空けて配置されている。バラスター２Ｌには、改修ユニット５が取り付けられている。
【０１３２】
図２３に示すように、改修ユニット５は、アダプター６と、照明ユニット５０と、を備える。アダプター６がバラスター２Ｌに固定されており、照明ユニット５０がアダプター６に固定されている。すなわち、照明ユニット５０がアダプター６を介してバラスター２Ｌに固定されている。
【０１３３】
アダプター６は、照明ユニット５０をバラスター２Ｌに取り付けるための部材である。すなわち、アダプター６は、接続器具または取り付け用付属器具などと言い換えることもできる。アダプター６は、例えば構造用アルミニウム合金等で形成されている。アダプター６は、第１挟持部６１と、第２挟持部６３と、接合部６２と、連結部６４と、を備える。第１挟持部６１および第２挟持部６３は、バラスター２Ｌを左右方向の両側から挟むように配置されている。接合部６２は、第１挟持部６１および第２挟持部６３の前方Ｄｆの端部同士を連結している。連結部６４は、第２挟持部６３の後方Ｄｂの端部から第１挟持部６１とは反対側に突出している。連結部６４には、前後方向に貫通する孔６６が設けられている。
【０１３４】
第１挟持部６１は、左右方向に貫通する孔６５と、孔６５に固着する締結部材６９と、を備える。締結部材６９は、例えばクランピングスクリューである。締結部材６９は、第１挟持部６１のバラスター２Ｌと対向する表面から突出し且つバラスター２Ｌに接している。締結部材６９は、バラスター２Ｌを第２挟持部６３に押えつけている。締結部材６９が第１挟持部６１から突出する長さが長いほど、バラスター２Ｌが押さえつけられる力が大きくなる。締結部材６９とバラスター２Ｌとの間および第２挟持部６３とバラスター２Ｌとの間に生ずる摩擦によって、アダプター６がバラスター２Ｌに固定されている。
【０１３５】
照明ユニット５０は、第１支持部材５１と、第２支持部材５２と、照明装置収納ケース５３と、透光性カバー５４と、緩衝部材５５と、を備える。
【０１３６】
第１支持部材５１は、照明ユニット５０に求められる強度を確保するための部材であって、第２支持部材５２を支持する。第１支持部材５１は、例えば構造用アルミニウム合金等で形成されている。第１支持部材５１は、例えば筒状の押し出し形材である。第１支持部材５１は、連結部６４の孔６６と重なる位置に孔５１２を備える。孔６６および孔５１２に固着する締結部材５９によって、第１支持部材５１がアダプター６に連結されている。
【０１３７】
第１支持部材５１は、基部５１８と、固定部５１０と、を備える。基部５１８は、第１支持部材５１のうち後方Ｄｂに配置されている。固定部５１０は、例えば、基部５１８の前方Ｄｆに基部５１８と一体に設けられている。固定部５１０は、突起５１９と、孔５１１と、位置決め部５１４と、を備える。
【０１３８】
突起５１９は、基部５１８の前方Ｄｆの端部から前方Ｄｆに向かって突出している。例えば、突起５１９の断面形状は、基部５１８の略Ｕ字状とは反対向きの略Ｕ字状である。より具体的には、突起５１９は、左右方向に対して直交する２つの側面と、前後方向に対して直交し且つ２つの側面を接続する端面と、を含む。孔５１１は、突起５１９の側面に設けられている。例えば、突起５１９の左右方向の幅は一定であって、基部５１８の前方Ｄｆの端部における左右方向の幅よりも小さい。これにより、基部５１８と突起５１９との間に段差が生じている。このため、基部５１８の前方Ｄｆの端部には、前後方向に対して直交する端面として位置決め部５１４が形成されている。言い換えると、第１支持部材５１のうち位置決め部５１４よりも後方Ｄｂ側の部材が基部５１８であり、第１支持部材５１のうち位置決め部５１４よりも前方Ｄｆ側の部材が突起５１９である。
【０１３９】
第２支持部材５２は、照明装置３を内蔵できる筐体であって、第１支持部材５１に取り付けられる。すなわち、第２支持部材５２は、第１支持部材５１に照明装置３を取り付けるための部材である。第２支持部材５２は、例えば構造用アルミニウム合金等で形成された、略Ｈ字状の押し出し形材である。第２支持部材５２は、基部５２０と、挟持部５２１と、爪部５２３と、を備える。基部５２０は、第１支持部材５１の突起５１９の端面の前方Ｄｆに配置されている。例えば、基部５２０の断面形状は、前方Ｄｆに向かって開口する略Ｕ字状である。挟持部５２１は２つ設けられている。２つの挟持部５２１のそれぞれは、基部５２０の後方Ｄｂの端部における左右方向の両端から、後方Ｄｂに向かって突出している。挟持部５２１は、突起５１９の側面に接している。すなわち、一対の挟持部５２１が突起５１９を両側から挟んでいる。挟持部５２１の左右方向の厚みは、第１支持部材５１における基部５１８と突起５１９との間の段差の大きさに等しい。これにより、第１支持部材５１と挟持部５２１との間に段差が生じにくくなっている。また、挟持部５２１の前後方向の長さは、第１支持部材５１の突起５１９の前後方向の長さに等しい。これにより、挟持部５２１の先端が、第１支持部材５１の位置決め部５１４に接している。位置決め部５１４は、第２支持部材５２の前後方向における位置を規制している。また、挟持部５２１には孔５２２が設けられている。孔５２２は、突起５１９に設けられた孔５１１に重なるように配置されている。孔５１１および孔５２２に対して固定部材５６が固着される。固定部材５６は、例えばボルトであり、より具体的には超極低頭ボルトである。これにより、第２支持部材５２が第１支持部材５１に連結されている。爪部５２３は、基部５２０の前方Ｄｆの端部において、左右方向の内側に向かって突出している。
【０１４０】
照明装置収納ケース５３は、第２支持部材５２の内部に照明装置３を配置する作業を容易にし、且つ照明装置３を保護するための部材である。照明装置収納ケース５３は、例えば合成樹脂等で形成されている。照明装置収納ケース５３の断面形状は、前方Ｄｆに向かって開口する略Ｕ字状の部材である。照明装置収納ケース５３は、第２支持部材５２の基部５２０の内部に配置されている。照明装置収納ケース５３の底面には、照明装置３の発光部３１が取り付けられている。また、基部５２０のうち照明装置収納ケース５３の底面に対向する位置に、位置決め部材５７が設けられている。位置決め部材５７は、例えば六角穴付き止めねじであって、基部５２０に設けられた雌ネジ５２４に取り付けられている。位置決め部材５７は、雌ネジ５２４から前方Ｄｆに突出しており、照明装置収納ケース５３を前方Ｄｆに向かって押している。これにより、照明装置収納ケース５３は、透光性カバー５４および緩衝部材５５を介して爪部５２３と位置決め部材５７とに挟まれることで位置決めされる。位置決め部材５７が照明装置収納ケース５３を押していることで、照明装置収納ケース５３のガタツキが抑制される。
【０１４１】
透光性カバー５４は、発光部３１の光を所定の方向に透過させる部材である。透光性カバー５４は、例えばポリカーボネート等で形成された板状部材である。透光性カバー５４は、第２支持部材５２の前方Ｄｆの端部に配置されており、照明装置収納ケース５３の開口部分を覆っている。また、透光性カバー５４は、鉛直面１０００と平行に配置されており、照明装置収納ケース５３の底面に設けられた発光部３１に対向している。透光性カバー５４は、照明装置収納ケース５３で爪部５２３に押えつけられることによって、第２支持部材５２に固定されている。
【０１４２】
緩衝部材５５は、例えば合成樹脂等で形成されている。緩衝部材５５は、透光性カバー５４と爪部５２３との間に配置されている。緩衝部材５５は、加えられる力の大きさに応じて変形することで、透光性カバー５４と爪部５２３との間を埋めている。
【０１４３】
なお、固定部材５６は、必ずしもボルトでなくてもよく、例えばリベット等であってもよい。また、位置決め部材５７は、必ずしも六角穴付き止めねじでなくてもよく、例えば皿ネジ等であってもよい。また、透光性カバー５４は、必ずしもポリカーボネートでなくてもよく、例えばアクリル等であってもよい。また、緩衝部材５５は、必ずしも合成樹脂でなくてもよく、例えば合成ゴム等であってもよい。さらに、緩衝部材５５はなくてもよい。
【０１４４】
発光部３１が放つ光の一部は、発光部３１に対向して配置された透光性カバー５４を前方Ｄｆに向かって透過する。すなわち、照明ユニット５０においては、第２支持部材５２に内蔵された照明装置３によって、前方Ｄｆに向かって光が照射される。そして、照明ユニット５０の前方Ｄｆに向かう光は、通路１００の路面を照射する。このように、照明ユニット５０は、前方Ｄｆに光を照射するように照明装置３を内蔵することができる。
【０１４５】
改修ユニット５を用いた柵１Ｌの改修方法は以下の通りである。すなわち、まずバラスター２Ｌにアダプター６が取り付けられる。その後、アダプター６に対して締結部材５９によって照明ユニット５０が取り付けられる。すなわち、改修ユニット５を用いた柵１Ｌの改修方法は、既存のバラスター２Ｌにアダプター６を介して照明ユニット５０を取り付ける工程を含む。また、第１支持部材５１および第２支持部材５２は、例えば工場等で事前に組み立てられている。
【０１４６】
なお、アダプター６は、必ずしも鉛直方向に長い長尺部材、すなわち通し部材でなくてもよい。例えば、アダプター６は、バラスター２Ｌの上端部および下端部に取り付けられていてもよい。また、第１支持部材５１および第２支持部材５２は、事前に組み立てられていなくてもよい。例えば、現場において、締結部材５９によって第１支持部材５１がアダプター６に取り付けられた後、固定部材５６によって第２支持部材５２が第１支持部材５１に取り付けられてもよい。
【０１４７】
なお、実施形態２に係る柵１Ｌにおいて、例えば上述した実施形態１の変形例３〜９の構成が適用されてもよい。すなわち、柵１Ｌにおいて、第２支持部材５２がメカニカルクランプ方式で第１支持部材５１に取り付けられていてもよい。また、柵１Ｌにおいて、照明装置収納ケース５３がなく、照明装置３の発光部３１が第２支持部材５２に直接取り付けられていてもよい。また、柵１Ｌにおいて、透光性カバー５４がメカニカルクランプ方式で第２支持部材５２に取り付けられていてもよい。また、柵１Ｌにおいて、照明ユニット５０は、前方Ｄｆおよび左右方向の一方に光を照射してもよいし、前方Ｄｆおよび左右方向の両方に光を照射してもよい。また、柵１Ｌにおいて、照明ユニット５０が２つ設けられており、２つの照明ユニット５０のそれぞれが前方Ｄｆおよび後方Ｄｂの両方に光を照射してもよい。
【０１４８】
以上で説明したように、実施形態２に係る柵１Ｌは、既存の柵を改修した柵であって、既存のバラスター２Ｌに、バラスター２Ｌの並ぶ方向に沿う鉛直面１０００に対する前後方向のうち少なくとも一方に光を照射するように照明装置３を内蔵できる照明ユニット５０が取り付けられている。これにより、柵１Ｌにおいて照明装置３のメンテナンスが必要になった場合、照明ユニット５０を照明装置３と一体にバラスター２Ｌから取り外すことが可能である。このため、柵１Ｌは、照明装置の取り外し作業および取付作業における作業性を向上させることができる。
【０１４９】
また、実施形態２に係る改修ユニット５は、既存のバラスター２Ｌに取り付けられる改修ユニットである。改修ユニット５は、アダプター６と、照明ユニット５０と、を備える。アダプター６は、バラスター２Ｌを両側から挟む第１挟持部６１および第２挟持部６３と、第２挟持部６３から第１挟持部６１とは反対側に突出する連結部６４と、を含む。照明ユニット５０は、連結部６４に固定されており、バラスター２Ｌの並ぶ方向に沿う鉛直面１０００に対する前後方向のうち少なくとも一方に光を照射するように照明装置３を内蔵できる。これにより、柵１Ｌにおいて照明装置３のメンテナンスが必要になった場合、照明ユニット５０を照明装置３と一体にバラスター２Ｌから取り外すことが可能である。このため、改修ユニット５は、照明装置３の取り外し作業および取付作業における作業性を向上させることができる。
【０１５０】
また、実施形態２に係る改修ユニット５において、第１挟持部６１は、バラスター２Ｌに対向する表面から突出し且つバラスター２Ｌに接する締結部材６９を備える。アダプター６は、締結部材６９とバラスター２Ｌとの間および第２挟持部６３とバラスター２Ｌとの間に生ずる摩擦によって、バラスター２Ｌに固定されている。これにより、バラスター２Ｌに対して穴を開ける等の加工が不要となるので、改修ユニット５をバラスター２Ｌに取り付ける際の作業性が向上する。
【０１５１】
実施形態２に係る改修方法は、既存の柵の改修方法であって、既存のバラスター２Ｌに、バラスター２Ｌの並ぶ方向に沿う鉛直面１０００に対する前後方向のうち少なくとも一方に光を照射するように照明装置３を内蔵できる照明ユニット５０を取り付ける工程を含む。この改修方法によって改修された柵１Ｌにおいて照明装置３のメンテナンスが必要になった場合、照明ユニット５０を照明装置３と一体にバラスター２Ｌから取り外すことが可能である。このため、改修方法は、柵１Ｌのメンテナンス時の照明装置３の取り外し作業および取付作業における作業性を向上させることができる。
【０１５２】
また、従来から設けられている歩道橋の柵の周辺には、ポールの先端に照明器具が取り付けられた街灯が設置されていることがある。従来から設けられている歩道橋の柵に対して、上述した改修ユニット５を用いた改修が行われると、街灯が不要となるので、街灯の撤去が可能になる。このため、改修ユニット５を用いた改修は、高所での作業となる街灯のメンテナンス作業の削減に寄与する。また、街灯が設置されている場合に比較して歩道橋の下に向かう光が抑制されるので、歩道橋の下を通る道路を通行する車両のドライバーが眩しく感じる可能性が低減される。
【符号の説明】
【０１５３】
１、１Ｉ、１Ｋ、１Ｌ  柵
１０、１０Ｌ  支柱
１００、１００ａ、１００ｂ  通路
１０１、１０１Ｌ  台座
１１、１１Ｌ  第１横部材
１１１  外側部材
１１２  内側部材
１２、１２Ｌ  第２横部材
２、２Ａ、２Ｃ、２Ｄ、２Ｅ、２Ｆ、２Ｇ、２Ｈ、２Ｉ、２Ｊ、２Ｌ  バラスター
２Ｂ  ダミー部材
２００  地覆
２１、２１Ｃ、２１Ｉ  バラスター本体
２１０、２１０Ｃ  固定部
２１１  孔
２１２、２１３、２１２Ｂ、２１３Ｂ  ビスホール
２１４  位置決め部
２１８  基部
２１９、２１９Ｃ  突起
２２、２２Ｃ、２２Ｄ、２２Ｅ、２２Ｆ、２２Ｇ、２２Ｈ  照明取付用補助体
２２０、２２０Ｆ、２２０Ｇ、２２０Ｈ  基部
２２１  挟持部
２２２  孔
２２３、２２３Ｄ、２２３Ｅ  爪部
２２６、２２６Ｇ、２２７、２２７Ｇ、２２８  爪部
２３  照明装置収納ケース
２４、２４Ｄ、２４Ｅ、２４Ｆ、２４Ｇ、２４Ｈ  透光性カバー
２４０  板部
２４１  カバー側爪部
２５  緩衝部材
２６  固定部材
２７  位置決め部材
３  照明装置
３００  階段
３０１  登り口
３０２  踊り場
３０３  降り口
３１  発光部
３１０  基体
３１１  発光素子
３３  電源装置
３５  コネクタ
５  改修ユニット
５０  照明ユニット
５１  第１支持部材
５１０  固定部
５１１  孔
５１４  位置決め部
５１８  基部
５１９  突起
５２  第２支持部材
５２０  基部
５２１  挟持部
５２２  孔
５２３  爪部
５３  照明装置収納ケース
５４  透光性カバー
５５  緩衝部材
５６  固定部材
５７  位置決め部材
６  アダプター
６１  第１挟持部
６２  接合部
６３  第２挟持部
６４  連結部
６９  締結部材
Ｄｂ  後方
Ｄｆ  前方
【図１】
2018199995.tif 000003
【図２】
2018199995.tif 000004
【図３】
2018199995.tif 000005
【図４】
2018199995.tif 000006
【図５】
2018199995.tif 000007
【図６】
2018199995.tif 000008
【図７】
2018199995.tif 000009
【図８】
2018199995.tif 000010
【図９】
2018199995.tif 000011
【図１０】
2018199995.tif 000012
【図１１】
2018199995.tif 000013
【図１２】
2018199995.tif 000014
【図１３】
2018199995.tif 000015
【図１４】
2018199995.tif 000016
【図１５】
2018199995.tif 000017
【図１６】
2018199995.tif 000018
【図１７】
2018199995.tif 000019
【図１８】
2018199995.tif 000020
【図１９】
2018199995.tif 000021
【図２０】
2018199995.tif 000022
【図２１】
2018199995.tif 000023
【図２２】
2018199995.tif 000024
【図２３】
2018199995.tif 000025